(57)【特許請求の範囲】
【請求項１】
基材の一方の面にゴミ捕捉用の粘着面が形成された粘着テープを、その粘着面が外側を向くように巻回してなる粘着テープロールと、上記粘着テープロールを支持する清掃具本体とを備え、上記清掃具本体には、所定のシャフトを介して回転可能に支持される片持ち式の支持ローラを有し、上記支持ローラの自由端側から上記粘着テープロールが着脱される粘着式クリーナにおいて、
上記支持ローラの上記シャフトにて支持される軸支端側には、上記支持ローラの軸線方向に突設された弾性変形可能な少なくとも１つの弾性片と、上記弾性片の外周側に突設して設けられ、上記弾性片の弾性復元力によって上記粘着テープロールの内周面を常に押圧する係止凸部と、上記弾性片の内周側に設けられ、上記弾性片をその外周方向に常に押圧するように、金属製の板バネ部材を折り曲げて形成されたバネ部材とが設けられており、
上記弾性片は、上記係止凸部を介して上記支持ローラと上記粘着テープロールとを係止させるロック手段であるとともに、上記弾性片を上記粘着テープロールの内径よりも内側に可撓させることにより上記粘着テープロールと上記支持ローラとの係止を解除するロック解除手段とされ、
上記バネ部材は、上記弾性片の弾性変形によるへたりを防止するためのへたり防止手段とされていることを特徴とする粘着クリーナ。
【発明の詳細な説明】
【技術分野】
【０００１】
本発明は、粘着面が表側を向くように巻回された粘着テープロールを、専用の清掃具を用いて清掃する粘着式クリーナに関し、さらに詳しく言えば、清掃具から粘着テープロールをワンタッチで取り外すことができる粘着テープロールに関する。
【背景技術】
【０００２】
例えば特許文献１に記載されているように、粘着式クリーナは、基材の一方の面にゴミ捕捉用の粘着面が形成された粘着テープを、その粘着面が表側を向くようにロール状に巻回した粘着テープロールと、同粘着テープロールを回動可能に支持する清掃具本体とを有し、清掃具本体に設けられたグリップを手で把持して、カーペットなどの被清掃面上で粘着テープロールを転がすことによって、被清掃面上のゴミを粘着面で捕捉することができる。
【０００３】
清掃具本体には、粘着テープロールを支持するための支持ローラが設けられている。特許文献１において、支持ローラは、グリップから引き出された金属製シャフトの一端に回動自在に取り付けられた樹脂製の筒体からなり、支持ローラの自由端側から粘着テープロールを差し込むことで、支持ローラに保持されるようになっている。
【０００４】
ところで、支持ローラには、粘着テープロールが抜け落ちないようにするためのロック手段が設けられている。このロック手段として、特許文献１には、支持ローラの自由端側に粘着テープロール抜け止め用のストッパーが設けられている。
【０００５】
ストッパーは、２本のすり割り溝で形成された弾性片の先端に支持ローラの外径方向に向かって係止爪を有し、係止爪が粘着テープロールの巻芯の端縁を係止することにより、粘着テープロールの軸方向への移動が規制されるようになっている。
【０００６】
しかしながら、このストッパには、次のような問題があった。すなわち、特許文献１のストッパには、各弾性片の先端同士を薄板で連結した連結板を備えており、この連結板の中央部分を押圧することにより、各弾性片の先端が巻芯の内径側に倒れ込み、係止爪によるロックが解除されるようになっている。
【０００７】
これによれば、ワンタッチで使用済みの巻芯を支持ローラから取り外すことができる。しかしながら、この連結板は、支持ローラの自由端側に設けられているため、巻芯を抜き取る際に、勢い余ると、巻芯が指に当たって怪我をするおそれがある。
【先行技術文献】
【特許文献】
【０００８】
【特許文献１】特開２０１１−０６７５６４号公報
【発明の概要】
【発明が解決しようとする課題】
【０００９】
そこで、本発明は上述した課題を解決するためになされたものであって、その目的は、粘着テープロールおよび巻芯を安全にワンタッチで取り外すことができる粘着式クリーナを提供することにある。
【課題を解決するための手段】
【００１０】
上述した目的を達成するため、本発明は、基材の一方の面にゴミ捕捉用の粘着面が形成された粘着テープを、その粘着面が外側を向くように巻回してなる粘着テープロールと、上記粘着テープロールを支持する清掃具本体とを備え、上記清掃具本体には、所定のシャフトを介して回転可能に支持される片持ち式の支持ローラを有し、上記支持ローラの自由端側から上記粘着テープロールが着脱される粘着式クリーナにおいて、上記支持ローラの上記シャフトにて支持される軸支端側には、上記支持ローラの軸線方向に突設された弾性変形可能な少なくとも１つの弾性片と、上記弾性片の外周側に突設して設けられ、上記弾性片の弾性復元力によって上記粘着テープロールの内周面を常に押圧する係止凸部と、上記弾性片の内周側に設けられ、上記弾性片をその外周方向に常に押圧するように、金属製の板バネ部材を折り曲げて形成されたバネ部材とが設けられており、
上記弾性片は、上記係止凸部を介して上記支持ローラと上記粘着テープロールとを係止させるロック手段であるとともに、上記弾性片を上記粘着テープロールの内径よりも内側に可撓させることにより上記粘着テープロールと上記支持ローラとの係止を解除するロック解除手段とされ、
上記バネ部材は、上記弾性片の弾性変形によるへたりを防止するためのへたり防止手段とされていることを特徴としている。
【発明の効果】
【００１１】
本発明によれば、支持ローラの軸支端側に、支持ローラの軸線方向に突設された弾性変形可能な少なくとも１つの弾性片が設けられているとともに、弾性片を常に外周方向に向けて押圧するためのバネ部材をさらに有し、弾性片の一部には、その弾性復元力によって粘着テープロールの内周面を常に押圧する係止凸部が設けられており、弾性片を粘着テープロールの内径よりも内側に可撓させることにより、係止凸部と粘着テープロールの係止が解除され、粘着テープロールをワンタッチで取り外すことができる。
【００１２】
また、弾性片を常に外周方向に向けて押圧するためのバネ部材をさらに備えていることにより、弾性片が経年使用によってへたって、その係止効果が低下するのを防止することができる。
【図面の簡単な説明】
【００１３】
【図１】本発明の一実施形態に係る粘着式クリーナの斜視図。
【図２】上記粘着式クリーナの第１実施形態に係る支持ローラの（ａ）正面図，（ｂ）平面図および（ｃ）左側面図。
【図３】上記第１実施形態の支持ローラに粘着テープロールを取り付けた状態の断面図。
【図４】上記第１実施形態の支持ローラのロックを解錠した状態の断面図。
【図５】（ａ）巻芯の変形例を示す模式図、（ｂ）巻芯と支持ローラの係止状態を説明する模式図。
【図６】弾性片に補強リブを設けた状態の模式図。
【図７】（ａ）Ｃ字状に形成されたバネ部材の斜視図および（ｂ）バネ部材を支持ローラに取り付けた状態の模式的な断面図。
【図８】（ａ）コ字状に形成されたバネ部材の斜視図および（ｂ）バネ部材を支持ローラに取り付けた状態の模式的な断面図。
【図９】弾性片の変形例を示す模式図。
【図１０】本発明の第２実施形態に係る支持ローラの（ａ）正面図，（ｂ）平面図，（ｃ）左側面図および（ｄ）右側面図
【図１１】第２実施形態の支持ローラの要部断面図。
【図１２】上記第２実施形態の支持ローラのロックを解錠した状態の断面図。
【図１３】本発明の第３実施形態に係る支持ローラの（ａ）正面図，（ｂ）平面図および左側面図。
【図１４】上記第３実施形態の支持ローラとロックリングの取付状態を説明する要部断面図。
【図１５】ロックリングの係止機構について説明する説明図。
【図１６】ロックリングを回してロックした状態の（ａ）左側面図および（ｂ）正面図。
【発明を実施するための形態】
【００１４】
次に、本発明の実施形態について図面を参照しながら説明するが、本発明はこれに限定されるものではない。
【００１５】
図１に示すように、この粘着式クリーナ１は、粘着面２１が表側を向くように巻回された粘着テープロール２と、同粘着テープロール２を回動可能に支持する清掃具本体３とを備えている。
【００１６】
通常、この粘着式クリーナ１には、粘着式クリーナ１の未使用時に、粘着テープロール２の粘着面２１を保護するための図示しない保護カバーが設けられているが、本発明において、保護カバーは任意的事項であり、その図示や説明は省略する。
【００１７】
粘着テープロール２は、基材の一方の面にゴミ捕捉用の粘着面２１を有する粘着テープを、その粘着面が表側を向くように巻芯２２に沿って多重に巻回したものからなる。粘着テープロール２には、ほぼ１周長毎に汚れた粘着テープを切り剥がすための切れ目（図示しない）が設けられている。
【００１８】
本発明において、粘着テープロール２は、あくまで清掃用として粘着面が表側を向くように巻回されていればよく、粘着剤の材質や厚さ、粘着面のパターン形状、または切れ目の有無や形状などについては、任意に選択されてよい。
【００１９】
この例において、巻芯２２は、いわゆる紙管であって、その巻芯２２を中心に粘着テープがロール状に多重巻回されている。なお、巻芯２２は、紙管以外に樹脂などを用いてもよい。さらには、巻芯２２を持たずに、粘着テープのみをロール状に巻回する、いわゆるコアレスタイプであってもよい。
【００２０】
清掃具本体３は、手によって把持されるグリップ部４と、同グリップ部４の一端（図１では下端）に連結されるシャフト５と、シャフト５の他端側に同軸的に回動可能に連結される支持ローラ６とを備えている。
【００２１】
図１に示すように、グリップ部４は、合成樹脂製の成型品からなり、手で把持しやすいよう若干扁平な棒状に形成されている。この実施形態において、グリップ部４の上端側には、この粘着式クリーナ１を例えばフックなどの吊下具に吊り下げて保管するためのフック孔４１が設けられている。
【００２２】
この例において、グリップ部４は、合成樹脂製で断面が楕円形状のストレート棒体からなるが、金属製であってもよいし、形状はＴ字状やＬ字状などであってもよい。また、さらに手で把持しやすいように表面に凹凸や梨地処理などを施してもよく、グリップ部４の具体的な材質や形状は、仕様に応じて任意に変更されてよい。
【００２３】
図１に示すように、シャフト５は、一端側から他端側にかけて所定形状に折曲もしくは湾曲された金属棒からなる。シャフト５は、支持ローラ６を回動可能に軸支する軸支部５１と、軸支部５１からほぼＵ字状に折り曲げられた湾曲部５２と、湾曲部５２から折曲部５３を介してほぼ直角に折り曲げられ、グリップ部４に同軸的に接続されるステム５４とから構成されている。
【００２４】
この例において、ステム５４は、グリップ部４と粘着テープロール２との長さを自在に変えられる入れ子式の伸縮パイプからなる。これによれば、ステム５４を長く調節することにより、立ったままの姿勢で床を清掃することができる。
【００２５】
逆に、ステム５４を短く調節することで、テーブルやソファなどの手元を清掃することができる。この例において、ステム５４は入れ子式の伸縮手段を備えているが、その伸縮手段は特に限定されない、また伸縮性のない単なる棒状であってもよい。
【００２６】
この実施形態において、シャフト５は、金属棒を折り曲げもしくは湾曲して形成されているが、これ以外にプレス成形などで成型してもよい。また、シャフト５は金属製以外に樹脂製であってもよい。本発明において、シャフト５の具体的な構成は、任意であってよい。
【００２７】
次に、図２を参照しながら、第１実施形態の支持ローラ６について説明する。この支持ローラ６は、合成樹脂の成型品からなり、全体が粘着テープロール２の内周面に沿って挿通可能な筒状に形成されている。
【００２８】
支持ローラ６は、粘着テープロール２の軸線方向に沿って平行に架け渡される一対の支持板６１ａ，６１ｂと、同支持板６１ａ，６１ｂの端面を覆う端板６２ａ，６２ｂとを備えている。支持板６１ａ，６１ｂおよび端板６２ａ，６２ｂは、射出成形によって一体成形されている。
【００２９】
支持板６１ａ，６１ｂは、粘着テープロール２の軸線方向に沿って延在する断面Ｔ字状の梁部材であって、回転軸線を挟んで対称に配置されている。支持板６１ａ，６１ｂの一部には、補強用のリブ６１１，６１１が軸線方向に沿って所定の間隔をもって２箇所設けられている。
【００３０】
支持板６１ａ，６１ｂは、円周方向の外接円が粘着テープロール２の内径とほぼ同じとなるように配置されている。すなわち、この例において、支持板６１ａ，６１ｂは断面Ｔ字状であり、その辺の頂点を結ぶ外接円が粘着テープロール２の内径とほぼ同じとなるように配置されている。
【００３１】
この例において、支持板６１ａ，６１ｂはともに同一形状で、断面Ｔ字状に形成されているが、外接円が粘着テープロール２の内径とほぼ同じとなるように配置されていれば、その数と形状は仕様に応じて任意であってよい。
【００３２】
端板６２ａ，６２ｂは、粘着テープロール２の内径とほぼ同径の外径を有する円盤体からなり、支持板６１ａ，６１ｂの端部を塞ぐように取り付けられている。２枚の端板６２ａ，６２ｂの内、一方の端板６２ａ（図２（ａ）では左端）には、シャフト５の軸支部５１が差し込まれる軸受孔６２１が同軸的に設けられている。
【００３３】
他方の端板６２ｂ（図２（ａ）では右端）には、支持ローラ６を粘着テープロール２の内径に沿って挿入する際の案内役となるガイドキャップ６３が設けられている。ガイドキャップ６３は、円筒状に形成されており、その先端には粘着テープロール２を差し込みやすいようにテーパ面６３１が形成されている。この例において、ガイドキャップ６３は、端板６２ｂと一体成形されているが、別体であってもよい。本発明において、ガイドキャップ６３の構成は任意であってよい。
【００３４】
支持板６１ａ，６１ｂを挟んで軸線方向のほぼ中央には、シャフト５の軸支部５１を軸受する軸受部６４が設けられている。軸受部６４は、支持板６１ａ，６１ｂとともに一体成形されており、内部に図示しない金属製の軸受部材が設けられている。この軸受部６４に沿って、軸支部５１が同軸的に差し込まれることにより、支持ローラ６は、軸受部６４の軸線を中心に回動するようになっている。
【００３５】
シャフト５が差し込まれる軸支端側（図２では左端）の端板６２ａには、粘着テープロール２の他端側を支持するエンドキャップ６５が設けられている。エンドキャップ６５は、端板６２ａに一体成形された円筒状を呈し、その終端には、粘着テープロール２の一端（終端側）を受け止める係止爪６５１が設けられている。係止爪６５１は、差し込まれた粘着テープロール２が支持ローラ６を通り過ぎて、軸支部６５側に抜け出ないようにするためのストッパーである。
【００３６】
エンドキャップ６５には、粘着テープロール２を支持ローラ６に係止するための弾性片６６，６６が設けられている。弾性片６６，６６は、エンドキャップ６５の軸線方向に沿って形成された２本のすり割り溝６６１，６６１によって形成される弾性変形可能な舌片からなり、自由端（図２（ａ）では左端）が、支持ローラ６の軸線方向に沿って張り出すように形成されている。
【００３７】
弾性片６６，６６は、その外周が粘着テープロール２の内径に沿って差し込まれるため、円弧状に形成されており、その外周面には、粘着テープロール２の内周面を押圧して係止する係止凸部６６２が設けられている。
【００３８】
係止凸部６６２は、弾性片６６の外周面から半径方向の外側に向かって張り出された断面半円状の凸部からなり、その頂部が粘着テープロール２の内径よりも外側に位置するように形成されている。
【００３９】
これによれば、図３に示すように、粘着テープロール２を支持ローラ６の自由端側（図３では右端側）から差し差し込んでゆくと、粘着テープロール２の先端がエンドキャップ６５の係止爪６５１に引っ掛かり止まる。
【００４０】
その際、弾性片６６の係止凸部６６２が巻芯２２によって内径方向に押し下げられるとともに、その弾性復元力によって、係止凸部６６２が巻芯２２を押圧する。これにより、粘着テープロール２と支持ローラ６との間の摩擦係数が高められ、粘着テープロール２が自由端側に抜け落ちることが防止される。
【００４１】
粘着テープロール２（使用済みの場合は巻芯２２）を支持ローラ６から取り外すに当たっては、図４に示すように、例えば親指と人差し指で各弾性片６６，６６を挟むようにつまみ、そのまま弾性片６６，６６を内径方向に押し込む。
【００４２】
これにより、係止凸部６６２が巻芯２２の内径よりもさらに内側に押し下げられることで、係止凸部６６２によるロックが解除される。ロックを解除した状態で、片方の手で粘着テープ２を抜き取るか、支持ローラ６の自由端側を下に向けることで、ワンタッチで粘着テープロール２を支持ローラ６から抜き取ることができる。
【００４３】
この例において、弾性片６６，６６は２箇所設けられているが、粘着テープロール２を支持ローラ６に固定するには、少なくとも１箇所設けられていればよい。また、係止凸部６６２に代えて、弾性片６６の厚みを基端側から自由端側に向かうにつれて、粘着テープロール２の内径方向に向かって漸次高くするように形成してもよい。
【００４４】
粘着テープロール２と支持ローラ６との結合をより確実にする方法の１つとして、図５（ａ）に示すように、巻芯２２の一部に開口部２２１を設けて、その開口部２２１に係止凸部６６２を合致させるようにしてもよい。
【００４５】
これによれば、開口部２２１に係止凸部６６２が入り込むことにより、粘着テープロール２の抜け止め効果がさらに向上する。なお、この例において、開口部２２１は貫通孔であるが、係止凸部６６２が入り込むことが可能な形状であれば、凹部であってもよい。さらには、巻芯２２の内周面に沿って形成された環状の凹溝であってもよい。
【００４６】
また、長期間にわたって使用した際、弾性片６６，６６がへたってくるおそれがある。そこで、図６に示すように、弾性片６６，６６のへたりを防止するため、弾性片６６，６６の内径側に補強リブ６６３，６６３を設けてもよい。
【００４７】
これによれば、補強リブ６６３，６６３によって弾性片６６，６６の剛性が保たれるため、長期間にわたって弾性片６６，６６が変形した状態にあってもクリープ変形によってへたりが生じることを防止できる。なお、補強リブ６６３，６６３は、指によって変形させやすいように、基端側から先端側に向かうにつれて、その高さが漸次小さくなるように形成されていることが好ましい。このような態様も本発明に含まれる。
【００４８】
弾性片６６，６６のへたりを防止する別の方法としては、弾性片６６，６６を常に外周方向に向けて押圧するためのバネ部材が用いられてもよい。図７に示すように、このバネ部材７ａは、金属板をＣ字状に折り曲げてなる板バネ部材からなり、エンドキャップ６５の内周面に沿って配置されている。
【００４９】
これによれば、バネ部材７ａの弾性復元力によって、弾性片６６，６６を常に外周方向に向けて押圧することができ、へたりを防止することができる。また、このバネ部材の変形例として、図８に示すように、金属板をコ字状に折り曲げたバネ部材７ｂが用いられてもよい。
【００５０】
この場合、コ字状に折り曲げられた両端部分を弾性片６６，６６の内側に沿って配置することにより、弾性片６６，６６を常に外周方向に向けて押圧することができ、へたりを抑えることができる。このような態様も本発明に含まれる。
【００５１】
さらに別な態様として、図９に示すように、弾性片６６，６６を囲むようにさらに別の弾性片からなる操作片６７，６７を設けてもよい。これによれば、操作片６７，６７を内側へ押し込むことで、弾性片６６，６６を同時に押し込むことができ、弾性片６６，６６の剛性を高めた場合であっても、簡単に弾性片６６，６６を変形させることができる。
【００５２】
次に、図１０を参照して、本発明の第２実施形態に係る支持ローラについて説明する。第２実施形態に係る支持ローラ８は、両端に端板８１ａ，８１ｂを有するローラ本体８１を備えている。ローラ本体８１は合成樹脂の成型品からなる。ローラ本体８１の中心には、軸支部５１が差し込まれる軸受部８１１が設けられている。
【００５３】
支持ローラ８の端板８１ｂには、図示しないシャフトの軸支部が差し込まれる軸受孔８１２が同軸的に設けられている。
【００５４】
同ローラ本体８１の一方の端板８１ａ(図１０（ａ）では右端)には、粘着テープロール２の一端側に係止する第１ストッパー８２が設けられている。第１ストッパー８２は、端板８１ａの周縁から軸線方向に沿って延設された一対の弾性係止片８２１，８２１からなる。
【００５５】
弾性係止片８２１，８２１は、その先端に粘着テープロール２の内縁に沿って係止されるフック部８２２が設けられている。フック部８２２は、その頂部が粘着テープロール２の内径よりも外側に向かって張り出されており、これにより、弾性係止片８２１とフック部８２２との段差面に粘着テープロール２の内縁が係止されるようになっている。
【００５６】
弾性係止片８２２の内面には、後述する解除ロッド８４の一端が係止される連結アーム８２３が設けられている。連結アーム８２３は、弾性係止片８２２の内径側の面から中心方向に向かって一体的に延設されており、その先端に解除ロッド８４が連結されるリンク８２４が設けられている。
【００５７】
ローラ本体８２の他方の端板８１ｂ（図１０（ａ）では左端）には、粘着テープロール２の他端側を係止する第２ストッパー８３が設けられている。第２ストッパー８３は、端板８１ｂの周縁から軸方向に沿って一体的に突設され、粘着テープロール２の内径に沿って差し込まれる円筒部８３１を有し、円筒部８３１の先端には、粘着テープロール２の他方の内縁に沿って係止されるフック部８３２が設けられている。
【００５８】
ローラ本体８２には、その軸線方向に沿ってスライドする解除ロッド８４と、解除ロッド８４を前後にスライドさせるための解除レバー８５とからなるロック解除手段が設けられている。
【００５９】
図１０および図１１に示すように、解除ロッド８４は、ローラ本体８１の軸線方向に沿って配置されており、一端側８４１（図１１では右端）はくの字状に折り曲げられ、上述した第１ストッパー８２の連結アーム８２３に連結されている。
【００６０】
解除ロッド８４の他端８４２は、第２ストッパー８３の内側に向けて引き出されており、その先端が後述する解除レバー８５に連結されている。解除ロッド８４は、１つの弾性係止片８２に対して１つ連結され、この例では２本設けられている。
【００６１】
解除レバー８５は、Ｌ字型を呈する合成樹脂製で、一方の片が端板８１ｂに沿って配置され、他方の片が端板８１ｂから垂直（すなわち、軸線方向に沿って平行）に突設されている。解除レバー８５のＬ字状の屈曲部には、上述した解除ロッド８４の他端８４２が連結されている。
【００６２】
これによれば、図１２に示すように、粘着テープロール２が支持ローラ８に取り付けられている状態においては、粘着テープロール２は、その両端が支持ローラ８の両端に設けられたフック部８２２，８３２によって係止されるため、軸方向の移動が規制されたロック状態となる。
【００６３】
ロックを解除するに当たっては、軸支端側（図１２では左端側）に設けられた解除レバー８５を内側に押し倒すと、解除レバー８５の他端が端板８１ｂに当接しているため、解除ロッド８４の連結部が軸線方向に沿って持ち上げられる。
【００６４】
これに伴い、解除ロッド８４が、軸支端側（図１２では左側）にスライドするのに併せて、解除ロッド８４の先端に連結された連結アーム８２３を介して、弾性係止片８２１が、その弾性力に抗して内側に引き込まれる。
【００６５】
これにより、弾性係止片８２１の先端が粘着テープロール２の内径よりも内側に倒伏することで、粘着テープロール２の自由端側のロックが解除され、軸線方向に引き抜くことができる。
【００６６】
次に、図１３〜１６を参照して、本発明の第３実施形態に係る支持ローラについて説明する。図１３（ａ）〜（ｃ）および図１４に示すように、この支持ローラ９は、上記第１および第２実施形態と同様に合成樹脂の成型品からなり、筒状のローラ本体９１と、同ローラ本体９１の軸支端側（図１３（ａ）では左端側）に配置されるロックリング９２とを備えている。
【００６７】
ローラ本体９１の基本的な構成は、上述した第２実施形態のローラ本体と同じであるため、以下においては、その説明を省略する。なお、ローラ本体９１の自由端側（図１３（ａ）では右端側）は図面上省略されているが、先端には上述した第１実施形態のガイドキャップ６３と同一のものが設けられている。
【００６８】
ローラ本体９１の軸支端側（図１４では左端）には、端板９１ａが設けられており、端板９１ａには、シャフト５の軸支部５１が差し込まれる軸受孔９１１が設けられている。この軸受孔９１１に軸支部５１が差し込まれることにより、軸支部５１１の軸線Ｌ１を中心に同軸的に回転するようになっている。この例において、端板９１ａの外径は、粘着テープロール２の内径とほぼ同径である。
【００６９】
端板９１ａにはさらに、ロックリング９２を回動可能に取り付ける軸受部９１２が設けられている。軸受部９１２は、ロックリング９２に設けられた軸受孔９２１が差し込まれる円筒状を呈し、軸受孔９１１に対して回転軸が長さＬだけ偏心して配置されている。
【００７０】
図１３（ｃ）に示すように、軸受部９１２は、９０°間隔で４分割されており、軸方向の高さが異なる第１軸受部９１２ｂ，９１２ｂと、第２軸受部９１２ａ，９１２ａとが中心軸Ｌ２を挟んで対称となるように設けられている。
【００７１】
第１軸受部９１２ｂは、第２軸受部９１２ａよりも軸方向長さが長く形成されており、第２軸受部９１２ａの一部に後述するツマミ部９１３，９１３を合致させることで、その高さギャップを利用して、ロックリング９２が９０°で回転が止まるように規制することができるようになっている。
【００７２】
ロックリング９２は、その外径が粘着テープロール２の内径とほぼ同径の円筒状を呈し、中央には、端板９１ａの軸受部９１２に差し込まれる軸受孔９２１が設けられている。図１３（ｃ）に示すように、ロックリング９２の内径面には、ロックリング９２を回転させる際に指で操作されるツマミ部９１３，９１３が中心軸を挟んで対称的に設けられている。
【００７３】
図１４に示すように、ツマミ部９１３，９１３は、ロックリング９２の端面（図１４では左端面）から他端側に向かって軸線方向に沿って延設されたリブからなり、他端側が第１軸受部９１２ａの頂部と、第２軸受部９１２ｂの頂部との間に入る長さに形成されている。
【００７４】
これによれば、図１４に示すように、ツマミ部９１３，９１３が第２軸受部９１２ａの間に入り込むことにより、ツマミ部９１３の側面が、第１軸受部９１２ｂの側面に当接されることで、９０°で回転が止まるように規制される。
【００７５】
図１５を参照して、ロックリング９２のロック機構について説明する。まず、図１５（ａ）に示すように、非ロック状態にあるロックリング９２は、端板９１ａの外径と同一軸線上となり、互いに重なり合うため、粘着テープロール２は非係止状態となる。
【００７６】
これに対して、図１５（ｂ）に示すように、ロックリング９２を９０°回転させると、ロックリング９２が偏心軸である軸受部９１２を中心に回転することで、ロックリング９２の一部が端板９１ａの外周からはみ出る。これにより、図１６に示すように、粘着テープロール２の内径が押圧され、粘着テープロール２が支持ローラ９に固定される。
【００７７】
この例において、ロックリング９２は、単に端板９１ａに９０°回動するように取り付けられているため、緩みなどが生じやすい。そこで、よりロックを強固に維持するため、ロックリング９２を常にロック方向に付勢する付勢手段がさらに設けられていてもよい。
【００７８】
上述した第１および第３実施形態において、各支持ローラは、粘着テープロール２の軸方向長さとほぼ同じ長さを有し、粘着テープロール２全体に差し込まれるようになっているが、例えば粘着テープロール２の軸方向長さの半分程度の長さであってもよい。
【００７９】
すなわち、第１および第３実施形態においては、粘着テープロール２の軸支端側にロック手段が設けられているので、自由端側を拘束することなく、粘着テープロール２を支持ローラに対して確実に係止することができるためである。
【符号の説明】
【００８０】
１  粘着式クリーナ
２  粘着テープロール
３  清掃具本体
４  グリップ部
５  シャフト
６  支持ローラ（第１実施形態）
７ａ，７ｂ  バネ部材
８  支持ローラ（第２実施形態）
９  支持ローラ（第３実施形態）
【図１】
0005940697.tif 000002
【図２】
0005940697.tif 000003
【図３】
0005940697.tif 000004
【図４】
0005940697.tif 000005
【図５】
0005940697.tif 000006
【図６】
0005940697.tif 000007
【図７】
0005940697.tif 000008
【図８】
0005940697.tif 000009
【図９】
0005940697.tif 000010
【図１０】
0005940697.tif 000011
【図１１】
0005940697.tif 000012
【図１２】
0005940697.tif 000013
【図１３】
0005940697.tif 000014
【図１４】
0005940697.tif 000015
【図１５】
0005940697.tif 000016
【図１６】
0005940697.tif 000017